(57)【要約】【課題】縮小されたサムネイル画像を表示して、複数の動画ファイルの中からファイルを選択するサムネイル表示する動画再生装置において、ユーザの使い勝手を向上させる。【解決手段】  記録媒体１００を読み取る読取部２と読取部２で読み取った動画ファイルをデコードするデコーダ３とデコードした動画を圧縮する画像圧縮部４と画像圧縮部４で生成したデータを一時記録してサムネイル画像を収集するメモリ５０と、メモリ５０の記録、読出の操作をするメモリＩ／Ｆ５と背景画像とサムネイル画像を合成して出力するＯＳＤ合成部６と、Ｄ／Ａ変換器７を備え、所定のリモコン８０から所定の入力を受けた場合に、サムネイル画像で選択された動画ファイルについて、選択された画像ファイルのコマの画像をサンプリング時間毎に所定刻み幅でスキップしてメモリＩ／Ｆ５に順次記録することにより、サムネイル画像を表示したまま、早送り、巻戻しを行う。【選択図】  図１
2008085724.tif 000002
【特許請求の範囲】
【請求項１】
複数の動画ファイルが記録されたランダムアクセス可能な記録媒体にアクセスして動画ファイルのデータを読み出す動画ファイル読取手段と、
前記複数の動画ファイルの１場面ずつを並べて表示したサムネイル画像を表示するサムネイル画像表示手段と、
前記サムネイル画像のうちのいずれかの動画ファイルの選択を受け付ける動画ファイル選択手段と、を備えた動画再生装置において、
所定の第１、第２の操作入力のいずれかを受けた場合に、前記サムネイル画像を表示した状態で、前記選択された動画ファイルについて、前記第１、第２の操作入力に対応してそれぞれ早送り、巻戻し動作を行うサムネイル動画操作手段と、
所定の第３の操作入力に応じて、前記サムネイル画像の表示を中止すると共に、該中止する直前に選択がされた動画ファイルについて、該直前に表示されていた場面から、この動画ファイルの再生を開始する第１の再生手段と、
所定の第４の操作入力を受けた場合に、前記サムネイル画像の表示を中止すると共に、該中止する直前に選択された動画ファイルの再生を先頭から開始する第２の再生手段と、
所定の第５の操作入力を受けた場合に、前記サムネイル画像の表示を中止すると共に、前記選択された動画ファイルについて、この動画ファイルが現在表示されている場面を含むチャプタの先頭から再生を開始する第３の再生手段と、
所定の第６の操作入力を受けた場合に、前記サムネイル画像を表示した状態で、前記選択された動画ファイルについてチャプタの区切り位置のいずれかにスキップを行うチャプタスキップ手段と、を備えた動画再生装置。
【請求項２】
複数の動画ファイルが記録されたランダムアクセス可能な記録媒体にアクセスして動画ファイルのデータを読み出す動画ファイル読取手段と、
前記複数の動画ファイルの１場面ずつを並べて表示したサムネイル画像を表示するサムネイル画像表示手段と、
前記サムネイル画像のうちのいずれかの動画ファイルの選択を受け付ける動画ファイル選択手段と、を備えた動画再生装置において、
所定の第１、第２の操作入力のいずれかを受けた場合に、前記サムネイル画像を表示した状態で、前記選択された動画ファイルについて、前記第１、第２の操作入力に対応してそれぞれ早送り、巻戻し動作を行うサムネイル動画操作手段を備えた、動画再生装置。
【請求項３】
さらに、所定の第３の操作入力を受けた場合に、前記サムネイル画像の表示を中止すると共に、該中止する直前に選択された動画ファイルについて、該直前に表示されていた場面から、この動画ファイルの再生を開始する第１の再生手段を備えた請求項２に記載の動画再生装置。
【請求項４】
さらに、所定の第４の操作入力を受けた場合に、前記サムネイル画像の表示を中止すると共に、該中止する直前に選択された動画ファイルの再生を先頭から開始する第２の再生手段を備えた請求項２または３のいずれかに記載の動画再生装置。
【請求項５】
さらに、所定の第５の操作入力を受けた場合に、前記サムネイル画像の表示を中止すると共に、該中止する直前に選択された動画ファイルについて、該直前に表示されていた場面を含むチャプタの先頭から再生を開始する第３の再生手段を備えた請求項２〜４のいずれかに記載の動画再生装置。
【請求項６】
さらに、所定の第６の操作入力を受けた場合に、前記サムネイル画像を表示した状態で、前記選択された動画ファイルについてチャプタの区切り位置のいずれかにスキップを行うチャプタスキップ手段を備えた請求項２〜５のいずれかに記載の動画再生装置。
【発明の詳細な説明】
【技術分野】
【０００１】
この発明は、光ディスクやハードディスク等のランダムアクセス可能な記録媒体（着脱可能でない記録媒体も含む）に記録されている動画ファイル等を再生する際に、動画ファイルのメニュー画像をサムネイル表示する動画再生装置に関する。
【背景技術】
【０００２】
従来、動画ファイルをＤＶＤやＣＤ等の記録媒体に記録したり、記録媒体に記録されている動画ファイルを再生する記録／再生装置が一般に普及している。従来の再生装置には、記録媒体に記録されている各動画ファイルの内容をユーザが簡単に確認できるように、その記録媒体に記録されている動画ファイルのメニュー画面を作成し、メニュー画面を記録媒体の所定の記録領域に記録する機能が設けられている。ユーザは、記録媒体に記録されているメニュー画像を再生することにより、この記録媒体に記録されている動画ファイルの確認が行える。したがって、記録媒体に記録されている所望の動画ファイルを簡単に再生することができる。このメニュー画像の表示方法としては、例えば、動画像を一覧表示するために複数の動画ファイルの１場面ずつを並べて縮小表示したサムネイル画像を背景画像に重ね合わせて表示する方法がある。
【０００３】
特許文献１には、ＨＤレコーダなど、サムネイル画像を用いてファイルを検索する再生装置で、サムネイル画像を用いてファイルを検索するときの使い勝手を向上させるために、静止画サムネイルで、サムネイルの１つが選択されると動画表示し、その他の動画ファイルについてはこの動画の１コマの静止画を表示する構成が開示されている。
特許文献２には、ランダムアクセス可能な記録媒体、サムネイル表示可能な再生装置で、映像コンテンツの内容を容易に把握するため、所望の中間位置から再生開始することができるよう、１つの動画ファイル内の複数の画像をサムネイル表示し、このサムネイル位置から一定時間分の映像データを順次再生し、通常の再生に移行する構成が開示されている。また、所定位置所定間隔毎に抽出した１つのコンテンツ内の複数の画像からなるサムネイル画像を生成する旨の記載がある。
【０００４】
特許文献３には、動画を再生する装置において、所望の画像を探したり、チャプタを簡易に設定するため、ダイジェスト（リファレンス画像データ）の動画部分をいくつか抽出する際に、色相のヒストグラム分布から判断し、違った識別画像データがあればリファレンス画像データとして設定する構成が開示されている。また、この特許文献３の図６にはサムネイル表示する構成が開示されている。
【特許文献１】特開２００３−３１９２９５公報
【特許文献２】特開２００３−２８９４８６公報
【特許文献３】特開２００６−１２９０５０公報
【発明の開示】
【発明が解決しようとする課題】
【０００５】
しかしながら、従来の動画再生装置は、複数の動画ファイルをサムネイル画像で表示する場合に、選択された動画ファイルが単に再生され、その他の動画ファイルはその１コマの静止画が表示されるだけであった。例えば、特許文献１の方法によれば、再生したいファイルかどうか確認するのに、ただファイルが再生されるのを見るしかなく、この確認に時間がかかる問題があった。早送りしようとすれば、実際に動画ファイルを再生してみて早送りし、違うファイルと分かった時点で再度サムネイル表示しているメニューに戻るなど煩雑な動作が必要である問題があった。さらに、このサムネイル表示に戻る際には、各画像ファイルの冒頭を改めて検索するために、動画再生装置がディスクをシークして再度読み出すなどして時間がかかり、ユーザをいらいらさせるなど、所望の画像ファイルの検索に思いのほか、時間がかかる問題があった。また、引用文献２等では、複数の動画ファイルを並べてサムネイル表示した状態で、その中から選択した動画ファイルについて、所望の場面から再生することはできなかった。
【０００６】
この発明は、多数の画像を一覧表示するために縮小されたサムネイル画像を表示して、複数の動画ファイルの中からファイルを選択するサムネイル表示する動画再生装置において、ユーザの使い勝手を向上させることを目的とする。
【課題を解決するための手段】
【０００７】
この発明の再生装置は、上記課題を解決するために以下の構成を備えている。
【０００８】
（１）本発明は、
複数の動画ファイルが記録されたランダムアクセス可能な記録媒体にアクセスして動画ファイルのデータを読み出す動画ファイル読取手段と、
前記複数の動画ファイルの１場面ずつを並べて表示したサムネイル画像を表示するサムネイル画像表示手段と、
前記サムネイル画像のうちのいずれかの動画ファイルの選択を受け付ける動画ファイル選択手段と、を備えた動画再生装置において、
所定の第１、第２の操作入力のいずれかを受けた場合に、前記サムネイル画像を表示した状態で、前記選択された動画ファイルについて、前記第１、第２の操作入力に対応してそれぞれ早送り、巻戻し動作を行うサムネイル動画操作手段を備えた。
【０００９】
この構成では、前記サムネイル画像を表示したまま、前記選択された動画ファイルについて早送り、巻戻し動作を行う。したがって、複数の動画をサムネイル表示により一覧表示しつつ、選択したファイルについては、早送り、巻戻しすることにより、より詳細に内容を確かめることができる。また、この構成のサムネイル動画操作手段は、単に動画を早送り、巻戻ししているのではなく、複数の動画をサムネイル表示した状態で、早送り、巻戻し操作するものであるから、それぞれの動画ファイルの内容の確認、比較を迅速かつ容易に行うことができる。
【００１０】
例を挙げて説明する。現在このサムネイル表示した状態で、早送り、巻戻し操作をしているときに、所望のファイルと異なることが分かった場合に、直ちに別のファイルについて内容を確認する作業に移ることができる。この構成では、従来のように、早送り操作後、改めてサムネイル画像を開くという作業を要しない。また、このように別のファイルを選択する際には、すでに表示してあるサムネイル表示の画像を頼りにして、円滑に所望のファイルにたどり着くことができる。
また、現在このサムネイル表示した状態で、早送り、巻戻し操作することができるので、１つの動画ファイルを選択して所望の再生位置に移動させ、他のファイルを選択して、所望の再生位置に移動させることができるので、２つのファイルが例えば同一ファイルを分割したような場合に、つなぎ合わせ部分などを比較することができる。
【００１１】
（２）本発明は、
さらに、所定の第３の操作入力を受けた場合に、前記サムネイル画像の表示を中止すると共に、該中止する直前に選択された動画ファイルについて、該直前に表示されていた場面から、この動画ファイルの再生を開始する第１の再生手段を備えた。
【００１２】
この構成では、さらに、第１の再生手段が、前記選択がされた動画ファイルが現在表示されている場面から、この動画ファイルの再生を開始するので、直ちに目的の位置から再生することができる。例えば、サムネイル動画操作手段により、早送り、巻戻し操作を行なって、所望のファイルを迅速に選択し、内容を確認した後に直ちに目的の位置から再生することができる。
【００１３】
（３）本発明は、
さらに、所定の第４の操作入力を受けた場合に、前記サムネイル画像の表示を中止すると共に、該中止する直前に選択された動画ファイルの再生を先頭から開始する第２の再生手段を備えた。
【００１４】
この構成によれば、サムネイル動画操作手段により、早送り、巻戻し操作を行なって、所望のファイルを迅速に選択し、内容を確認した後に、直ちに動画ファイルの再生を先頭から開始することができる。
【００１５】
（４）本発明は、
さらに、所定の第５の操作入力を受けた場合に、前記サムネイル画像の表示を中止すると共に、該中止する直前に選択された動画ファイルについて、該直前に表示されていた場面を含むチャプタの先頭から再生を開始する第３の再生手段を備えた。
【００１６】
この構成によれば、サムネイル動画操作手段により、早送り、巻戻し操作を行なって、所望のファイルを迅速に選択し、内容を確認した後に、前記サムネイル画像が表示されている場面が含まれるチャプタの先頭から再生を開始することができる。
【００１７】
（５）本発明は、
所定の第６の操作入力を受けた場合に、前記サムネイル画像を表示した状態で、前記選択された動画ファイルについてチャプタの区切り位置のいずれかにスキップを行うチャプタスキップ手段を備えた。
この構成によれば、複数の動画をサムネイル表示により一覧表示しつつ、選択したファイルについては、チャプタの区切り位置のいずれかにスキップを行うことにより、各動画ファイルの内容を確かめることができる。また、この構成のサムネイル動画操作手段は、単に１つの動画ファイルについてチャプタの区切り位置のいずれかにスキップを行っているのではなく、複数の動画をサムネイル表示した状態でスキップするものであるから、それぞれの動画ファイルの内容の確認、比較を迅速かつ容易に行うことができる。
【００１８】
例を挙げて説明する。現在このサムネイル表示した状態で、チャプタの区切り位置のいずれかにスキップを行う操作をしているときに、所望のファイルと異なることが分かった場合に、直ちに別のファイルについて内容を確認する作業に移ることができる。この構成では、従来のように、早送り操作後、改めてサムネイル画像を開くという作業を要しない。また、このように別のファイルを選択する際には、すでに表示してあるサムネイル表示の画像を頼りにして、円滑に所望のファイルにたどり着くことができる。
なお、以上の構成の第１〜第６の操作入力は、必ずしも別のキーによる操作入力でなくても良く、所定のＯＳＤ表示の上、カーソルキーにより選択を受け付けるものでも良い。
【発明の効果】
【００１９】
この発明によれば、それぞれの動画ファイルの内容の確認、比較を迅速かつ容易に行うことができる。
【発明を実施するための最良の形態】
【００２０】
図１を用いて、この発明の第１実施形態である動画再生装置の構成について説明する。
図１は、この発明の実施形態である動画再生装置の主要部の構成を示すブロック図である。この実施形態の動画再生装置１は、ユーザがファイル操作しやすいよう、動画再生装置１の起動時に、動画再生装置１にセットされた記録媒体１００の内容の一覧を表示して、複数の動画ファイルの１場面ずつを縮小して並べたサムネイル画像（例えば、後述の図２（Ａ）等）を表示する。動画再生装置１は、この表示時の操作方法に特徴がある。
【００２１】
動画再生装置１は、本体にセットされている記録媒体に記録されているデータの読み取りを行う読取部２と、記録媒体１００から読み取ったデータをデコードするデコーダ３と、後述図２（Ａ）で示すサムネイル画像を表示するために、デコーダ３でデコードした画像を圧縮した画像を出力する画像圧縮部４と、メモリ５０にアクセスして、メモリ５０に記録、読出をするメモリＩ／Ｆ５と、メモリ５０と、記録媒体１００から読み取った映像に他の映像を重ね合わせた合成映像を作成するＯＳＤ合成部６と、本体の動作を制御する制御部９とを備えている。
【００２２】
記録媒体１００は、ランダムアクセス可能な記録媒体であり、ＤＶＤやＣＤ、メモリーカード等着脱可能な媒体のみならず、ハードディスク等の据付のものでも本実施形態の動画再生装置１に使用できる。記録媒体１００には、所定の形式、例えばＭＰＥＧ形式等でエンコードされた動画ファイルと、このファイルの記録先を示すファイルシステムが格納されている。また、記録媒体１００は、チャプタが区切られている動画ファイルについては、チャプタの区切り位置のアドレス等を制御情報として記録している。例えば、記録媒体１００がＤＶＤなら、このチャプタの区切り位置の情報はプログラムチェーン情報に記録されている。
【００２３】
読取部２は、記録媒体１００に記録されているエンコードされた動画ファイルのデータを読み取る。例えば、記録媒体１００が光ディスクであれば、読取部２は、光学ピックアップヘッドであり、本体にセットされている記録媒体１００に対してレーザ光を照射して、反射光の強弱により、記録されているデータを読み取る。
【００２４】
デコーダ３は、読取部２が記録媒体１００から読み取ったデータをデコードする。画像圧縮部４は、デコーダ３でデコードした画像データを圧縮して、メモリＩ／Ｆ５に送る。
【００２５】
メモリＩ／Ｆ５は、画像圧縮部４で圧縮した画像データをメモリ５０に一時的に記録するためのインターフェースである。メモリＩ／Ｆ５は、制御部９の制御により、所定のタイミングでこの圧縮した画像を一時的にメモリ５０に記録する。これにより、記録媒体１００内にアドレスが散在した、各動画ファイルの冒頭の画像を収集することができる。その後、この記録した画像をメモリ５０から読出して、サムネイル表示するための複数の画像を出力する。メモリ５０は、ＲＡＭ（Random Access Memory）で構成する。メモリ５０は、不揮発性メモリでなくても良い。
【００２６】
ＯＳＤ合成部６は、画面に表示する各種設定の表示を行う映像信号を出力し、Ｄ／Ａ変換器７に出力する。また、デコーダ３の映像信号が出力されているときはこれを合成して、Ｄ／Ａ変換器７に出力する。ＯＳＤ合成部６には、デコーダ３によりエンコードされた背景画像を一時的に記録するＲＡＭ等の一時記憶部が設けられている。サムネイル画像を表示するときには、この背景画像と、メモリＩ／Ｆ５から出力された画像と、デコーダ３の映像出力とを合成した画像データをＤ／Ａ変換器７に出力する。例えば、図２（Ａ）のように、各動画ファイルのうちの最初のコマの静止画を並べた一覧を表示する。
なお、この一時記憶部は、他の処理を行うための領域と兼用していても良い。
【００２７】
Ｄ／Ａ変換器７は、ＯＳＤ合成部６で生成した画像データをアナログ形式の映像信号に変換して出力する。
【００２８】
リモコン受光部８は、赤外線受光部を備え、リモコン８０から送信された赤外線信号を受光して、制御部９に指示する信号を伝達する。リモコン８０は、所定のボタンが押下げられたときは、リモコン８０の先端からこのボタンに対応する赤外線信号を発生させる。リモコン８０には、例えばカーソルキー８１を備え、各種設定時にこの設定を選択することができる。
【００２９】
制御部９は、動画再生装置１内の各部の動作を制御するＣＰＵであり、計算結果を一時的に記録するワークエリアのＲＡＭと予め定めた制御情報を格納するＲＯＭを有している。本実施形態の動画再生装置１では、サンプリングタイムに合わせて動画を表示するため、特にメモリＩ／Ｆ５その他の動作タイミングの指示を行う。
【００３０】
表示器１０１は、動画再生装置１の外にあり、例えば液晶ディスプレイで構成する。表示器１０１は、Ｄ／Ａ変換器７で生成した映像信号を表示する。
【００３１】
次に、図２〜図６を用いて、第１の実施形態の動画再生装置でサムネイル画像を表示するときの表示器１０１の画面、およびメモリＩ／Ｆの動作について説明する。図２〜図６の（Ａ）は、それぞれ表示器１０１の画面の表示例を示しており、図２〜図６の（Ｂ）、（Ｃ）は、メモリの記録、読み出しの様子を表している。
【００３２】
図２（Ａ）の画面１０２に示すように、動画再生装置１の起動時には、サムネイル画像として、各動画ファイルのうちの最初のコマの静止画を並べたものを表示する。図２（Ａ）では、動画ファイルの画像として、画像Ｓ１〜Ｓ８（ｔ＝０、ｔはコマ番号であり、最初のコマ番号をｔ＝０とする。）を表示している。また、図２では、画面１０２の中の画像Ｓ１の外枠が、太枠でハイライト表示されている様子を示している。このハイライト表示している部分は、ユーザのカーソルキー８１の操作により移動させることができる部分であり、ハイライト表示している部分について再生等種々の操作を受け付ける。
【００３３】
図２（Ａ）のように表示するため、図２（Ｂ）に示すように、メモリＩ／Ｆ５は、制御部９の制御タイミングに従い、Ｓ１〜Ｓ８の画像を記録媒体１００から読取部２で読み出し、画像圧縮部４で圧縮した画像データをメモリ５０の区画５０１〜５０８に一旦、記録する。ここでは、図２（Ａ）で示した動画ファイルの最初のコマＳ１〜Ｓ８のデータを入力する。その後、図２（Ｃ）に示すように、メモリＩ／Ｆ５は、メモリ５０の区画５０１〜５０８からＳ１〜Ｓ８（ｔ＝０）のデータを読み出して、ＯＳＤ合成部６で背景画と合成し、Ｄ／Ａ変換器７を介して、静止画Ｓ１〜Ｓ８（ｔ＝０）を表示する。
【００３４】
なお、ＯＳＤ合成部６は、ハイライトしている外枠の画像も合成する。
また、記録媒体１００内部に動画ファイルが８個以上ある場合には、リモコン８０の所定の操作がされると、画面をスクロールさせ、その他の動画ファイルの最初のコマを表示する。動画ファイルが８個に満たない場合には、その部分のいずれかを空欄にする。
【００３５】
次に、図３（Ａ）の画面１０３に示すように、カーソルキー８１が押下げられると、ハイライトされた部分が変更されると、次のサンプリング時には、新たにハイライト表示したＳ２を次のコマ番号ｔ＝１の画像に更新して、Ｓ２では動画を表示し、それ以外のＳ１、Ｓ３〜Ｓ８では、静止画を表示する。
【００３６】
このように表示するために、図３（Ｂ）に示すように、メモリＩ／Ｆ５は、制御部９の制御タイミングに従い、Ｓ１の次のコマ番号ｔ＝１の画像を記録媒体１００から読取部２で読み出し、画像圧縮部４で圧縮した画像データをメモリ５０の区画５０１〜５０８に記録する。ここでは、図３（Ａ）で示した動画ファイルの最初のコマＳ１〜Ｓ８のデータを入力する。
【００３７】
その後、図３（Ｃ）に示すように、メモリＩ／Ｆ５は、メモリ５０の区画５０１〜５０８からＳ１〜Ｓ８（ｔ＝０）のデータを読み出して、ＯＳＤ合成部６、Ｄ／Ａ変換器７を介して、静止画Ｓ１（ｔ＝１）、Ｓ２〜Ｓ８（ｔ＝０）を表示する。このようにして、ハイライト表示したＳ１についてのみ、サンプリングタイム毎にメモリ５０を更新することにより、表示器１０１の画面１０３には、Ｓ１だけを動画にすることができ、その他Ｓ２〜Ｓ８については、図２（Ｂ）で示したように、すでにメモリ５０に記録した静止画を表示することができる。これにより、ユーザは、ハイライト表示したＳ１について、動画の最初の部分を確認することができる。
【００３８】
また、図４（Ａ）に示すように、Ｓ１の動画再生中（コマ番号ｔ＝ｘ）に、カーソルキー８１の指示によりハイライト表示を例えばＳ２に移動した場合には、Ｓ１を静止画（コマ番号ｔ＝ｘ）にして、Ｓ２を動画にする。このように表示にするため、図４（Ｂ）に示すように、次のコマ（図４中ではｔ＝１）を記録媒体１００から読取部２で読み出し、画像圧縮部４で圧縮した画像データをサンプリングタイム毎にメモリ５０の区画５０２に記録することにより、Ｓ２を更新し、図４（Ｃ）のように画像データを読み出す。これらを繰り返すことにより、ユーザは、ハイライト表示したＳ２について、最初の部分を動画で確認することができる。なお、他のカーソルキー８１に移動した場合も同様にハイライト表示し、このハイライト表示した部分だけ動画で表示する。
【００３９】
次に、図５を用いて、サムネイル表示した画面上でハイライト表示したＳ１について早送り表示する処理について説明する。この処理では、例えば、Ｓ１のコマ番号ｔ＝ｘの画像を表示した状態から、リモコン８０の所定のキーを押下げられた場合に、図５（Ａ）の画面１０５に示すように、刻み幅ｋ（ｋ＞１）進めたｔ＝ｘ＋ｋ（ｋ＞１）のコマの画像を表示して、早送りする。次のサンプリングタイムでは順次ｔ＝ｘ＋２ｋ、ｔ＝ｘ＋３ｋ、…のコマの画像を表示していく。このように表示するために、図５（Ｂ）に示すように、メモリＩ／Ｆ５は、メモリ５０の区画５０１のデータを刻み幅ｋ（ｋ＞１）進めたｔ＝ｘ＋ｋ（ｋ＞１）のコマのデータに更新する。その後、図５（Ｃ）に示すように、更新したＳ１（ｔ＝ｘ＋ｋ）と、Ｓ２〜Ｓ８（ｔ＝０）をメモリ５０から読み出して表示器１０１に表示する。その後、次以降のサンプリングタイムではｔ＝ｘ＋２ｋ、ｔ＝ｘ＋３ｋ、…のコマの画像をメモリ５０に記録して読み出すことを繰り返して、ｋ毎にスキップしたコマの画像を表示する。
【００４０】
次に、図６を用いて、サムネイル表示した画面上でハイライト表示したＳ１について巻戻し表示する処理について説明する。この処理では、例えば、Ｓ１の動画のうち、コマ番号ｔ＝ｘの画像を表示した状態から、リモコン８０の所定のキーを押下げられた場合に、図６（Ａ）の画面１０６に示すように、刻み幅ｋ（ｋ＞１）戻したｔ＝ｘ−ｋ（ｋ＞１）のコマを表示して、早送りする。次以降のサンプリングタイムでは順次ｔ＝ｘ−２ｋ、ｔ＝ｘ−３ｋ、…を表示していく。このように表示するために、図６（Ｂ）に示すように、メモリＩ／Ｆ５は、メモリ５０の区画５０１のデータを刻み幅ｋ（ｋ＞１）戻したｔ＝ｘ−ｋ（ｋ＞１）のコマのデータに更新する。その後、図６（Ｃ）に示すように、更新したＳ１（ｔ＝ｘ−ｋ）と、Ｓ２〜Ｓ８（ｔ＝０）をメモリ５０から読み出して表示器１０１に表示する。その後、次以降のサンプリングタイムではｔ＝ｘ−２ｋ、ｔ＝ｘ−３ｋ、…のコマをメモリ５０に記録して読み出すことを繰り返して、ｋ毎にスキップしたコマの画像を表示する。
【００４１】
また、動画再生装置１は、以上、図５、図６で示したような早送り、巻戻し表示した状態から、再生の指示をリモコン８０所定のキーから受付け、その場合には、画面１０２〜１０６に示すようなサムネイル表示を停止し、全画面表示して、再生を開始する。
【００４２】
次に、図７を用いて、動画ファイルのアドレスとコマ番号を対応させるアドレスについて説明する。図７はこのアドレスの説明図である。図５、図６で示したような早送り、巻戻し表示した場面から再生を開始するには、制御部９が、動画ファイルのコマ番号とこのコマ番号に対応するアドレスの対応関係を把握する必要がある。そこで、図７に示すように、画像圧縮部４で圧縮した動画データのコマ番号と、このコマ番号に対応する画像データの記録先アドレスを対応付けてメモリ５０に画像データを記録する。例えば、メモリ５０内の図示しない別の区画に記録して、図７に示すようなテーブルを記録するか、または、区画５０１〜５０８に画像データと併せてコマ番号に対応するアドレスを記録する。
【００４３】
次に、図８〜図１０を用いて、以上図２〜図６で説明した処理をフローで示す。この処理の主体は制御部９である。図８のフローは、丸印Ａから図９のサブフローに移動する。また、図１０に、図９のサブフローの一部の詳細図を示している。
ＳＴ１では、図２（Ｂ）に示したように画像Ｓ１〜Ｓ８のうちの最初のコマ（ｔ＝０）の静止画をメモリの区画５０１〜５０８に順次記録する。
ＳＴ２では、図２（Ｃ）で示したように、ＳＴ１で記録した画像を読み出して、表示器１０１に表示する。
ＳＴ３では、ハイライト表示した画像が現在ｔ＝ｘのコマを表示しているときに、次のコマｘ＋１の画像データをメモリ５０に記録して、メモリ５０の内容を更新する。ここで、ｘは、図８のＳＴ３を実行している現在において表示したコマ番号であり、フローを繰り返す毎に変動するものとする。例えば、最初にＳＴ３を実行するときには、図２（Ｂ）で示したようにｔ＝０を表示した状態から、ｔ＝１のコマを記録する。
ＳＴ４では、図３（Ｃ）で示したように、画像をメモリから読み出して表示器１０１に表示する。その後、図８の丸印Ａから図９のサブフローに移動する。図９のフローは、詳細は後述するが、リモコン８０の所定のキーが押下げられたときに実行される分岐を示しており、このキーが押下げられない限り、丸印ＣからＳＴ３に戻りＳＴ３、ＳＴ４を繰り返す。このＳＴ３、ＳＴ４を繰り返すことにより、ハイライト表示したＳ１のみの画像がサンプリングタイム毎に更新され、Ｓ１のみが動画で表示される。その他Ｓ２〜Ｓ８については、すでにＳＴ１で記録した静止画を読み出し、これを表示する。
【００４４】
図９のサブフローについて説明する。前述の通り、図９は、図８の丸印Ａから分岐する。図９は、リモコン８０の所定のキーが押下げられることにより、制御部９が指示（ＳＴ１１、ＳＴ１３、ＳＴ１５、ＳＴ１７）を受けたかどうかを判断し、所定の処理（ＳＴ１２、ＳＴ１４、ＳＴ１６、ＳＴ１８）を行うフローを表している。このフローでは、ＳＴ１１、ＳＴ１３、ＳＴ１５、ＳＴ１７で一旦、所定のキーが押下げられた場合には、次のループでＳＴ１９に移動し、他のキーが押下げられない限り、指示を受けた状態を継続する。なお、ＳＴ１１、ＳＴ１３、ＳＴ１５、ＳＴ１７のＹＥＳの状態は、択一的にいずれか１つのみがＹＥＳへ分岐するものとする。
【００４５】
ＳＴ１１では、カーソルキー８１が押下げられ、ハイライト表示が移動したか判断する。カーソルキー８１が押下げられた場合（ＳＴ１１のＹＥＳ）には、ＳＴ１２に移動する。ＳＴ１２では、図３で示したように、ハイライト表示が移動した先の画像の次コマ（ｔ＝ｘ＋１）をメモリ５０に記録し、メモリ５０の内容を更新する。ここで、ｘは、図９に分岐した現在において表示したコマ番号であり、フローを繰り返す毎に変動するものとする。
ＳＴ１２の後、図９の丸印Ｂから図８に戻り、ＳＴ１４で更新した画像を表示する。ＳＴ１２の処理は、図８のＳＴ３，ＳＴ４、図９のＳＴ１９１（後述）の中で繰り返され、この画像が順次更新されるから、新たにハイライト表示された画像について、動画を表示することができる。
【００４６】
ＳＴ１１でカーソルキー８１が押下げられていない場合（ＳＴ１１のＮＯ）には、ＳＴ１３に移動する。ＳＴ１３では、サムネイル表示した状態で、早送り指示がされているか判断する。この指示がされた場合（ＳＴ１３のＹＥＳ）には、ＳＴ１４に移動する。ＳＴ１４では、図５で示したように、カーソルのある画像（コマ番号ｔ＝ｘ）から所定コマ数ｋ（ｋ＞１）スキップしたコマ番号ｘ＋ｋの画像をメモリ５０に記録して、メモリ５０の内容を更新する。その後Ｂから図８に戻る。ＳＴ１４の処理は、図８のＳＴ３，ＳＴ４、図９のＳＴ１９１（後述）の中で繰り返され、ハイライト表示された画像について、ｋコマ毎に早送りして動画を表示する。これにより、サムネイル表示した状態で、ハイライト表示された画像について、早送り表示をすることができる。
【００４７】
ＳＴ１３で早送り指示がされていない場合（ＳＴ１３のＮＯ）には、ＳＴ１５に移動する。ＳＴ１５では、サムネイル表示した状態で、巻戻し指示がされているか判断する。この指示がされた場合（ＳＴ１５のＹＥＳ）には、ＳＴ１６に移動する。ＳＴ１６では、図６で示したように、カーソルのある画像（コマ番号ｔ＝ｘ）から所定コマ数ｋ（ｋ＞１）巻戻したコマ（ｘ−ｋ）をメモリ５０に記録して、メモリ５０の内容を更新する。その後Ｂから図８に戻る。ＳＴ１６の処理は、図８のＳＴ３，ＳＴ４、図９のＳＴ１９１（後述）の中で繰り返され、ハイライト表示された画像について、ｋコマ毎に巻戻して動画を表示する。これにより、サムネイル表示した状態で、ハイライト表示された画像について、巻戻し表示をすることができる。
【００４８】
ＳＴ１５で巻戻し指示がされていない場合（ＳＴ１５のＮＯ）には、ＳＴ１７に移動する。ＳＴ１７では、サムネイル表示した状態で、再生指示がされているか判断する。この指示がされた場合（ＳＴ１７のＹＥＳ）には、ＳＴ１８に移動する。ＳＴ１８では、サムネイル表示を停止し、全画面で再生を開始する。これにより、サムネイル表示時の処理フローは終了する。
ＳＴ１７で再生指示がされていない場合には、ＳＴ１９に移動する。ＳＴ１９では、ＳＴ１２、ＳＴ１４、ＳＴ１６の実行中か（具体的には、前回のループでこれらを実行したか）判断し、この実行中であれば（ＳＴ１９のＹＥＳ）、ＳＴ１９１で処理を継続し、図８の丸印Ｂ（ＳＴ４の直前）に戻る。ＳＴ１２、ＳＴ１４、ＳＴ１８の実行中でなければ（ＳＴ１９のＮＯ）、図８の丸印Ｃに戻る。なお、ＳＴ１９１では、ＳＴ１２、ＳＴ１４、ＳＴ１６の継続中の処理でｘを各々新たな値ｘ←ｘ＋１、ｘ←ｘ＋ｋ、ｘ←ｘ−ｋに書き換えて実行する。
【００４９】
図１０を用いて、図９のＳＴ１７、ＳＴ１８のフローの詳細について説明する。図１０に示すように、図９のＳＴ１７、ＳＴ１８の処理は、複数の再生処理に分離できる。ＳＴ１７は、ＳＴ２１、ＳＴ２２、ＳＴ２３に対応し、ＳＴ２１、ＳＴ２２、ＳＴ２３ではそれぞれリモコン８０の第１キー、第２キー、第３キーが押下げられたか判断する。これらのキー操作の判断は択一的に実行される。例えば、第３キーが押下げられたときは、ＳＴ２１の判断はＮＯ、ＳＴ２２の判断はＮＯ、ＳＴ２３の判断はＹＥＳとなる。
【００５０】
ＳＴ２１で、第１キーが押下げられたと判断すると（ＳＴ２１のＹＥＳ）、ＳＴ２２に移動して、サムネイル表示を停止する共に、サムネイル表示を停止する直前にハイライト表示していた動画ファイルについて、サムネイル表示を停止する直前に表示されていた場面から再生を開始する。
ＳＴ２３で、第２キーが押下げられたと判断すると、ＳＴ２４に移動する。ＳＴ２４では、サムネイル表示を停止する共に、サムネイル表示を停止する直前にハイライト表示していた動画ファイルの最初の位置（ｔ＝０）から、再生を開始する。
ＳＴ２５で、第３キーが押下げられたと判断すると、ＳＴ２６に移動する。ＳＴ２６では、サムネイル表示を停止する共に、サムネイル表示を停止する前にサムネイル表示上で直前にハイライト表示していた動画について、その動画が表示している場面を含むチャプタの最初から再生を開始する。このチャプタのアドレスの取得方法は、まず、図７で示したようにして、サムネイル表示を停止する直前にハイライト表示していた動画ファイルが表示していた場面と、コマ番号またはこの場面に対応する記録媒体１００内のアドレスから、直前に表示していたチャプタの番号を取得する。このチャプタの番号と、チャプタの先頭アドレスとの対応は、記録媒体１００内の前述した制御情報に記録されている。これにより、チャプタの先頭アドレスを取得する。
なお、チャプタが分割されていない場合には、ＳＴ２６は、ＳＴ２４と同じ処理になる。
【００５１】
ＳＴ２２、ＳＴ２４、ＳＴ２６が終了すると、いずれも再生を開始するから、図８〜図１０のサムネイル表示時の処理は終了する。
【００５２】
なお、図１０の第１、第２、第３のキーは、必ずしも別々のキーである必要はなく、所定の再生キーが押下げられた後、ＯＳＤ合成部６によりＯＳＤ表示して、これらのキー指示入力をカーソルキー８１により選択してもよい。
【００５３】
次に、図１１のフロー図を用いて、第１の実施形態の図９のフローに付加的なフローを追加した実施例について説明する。この実施例では、図９のフローに対し、ＳＴ３１〜ＳＴ３４を追加している。また、図１１でＳＴ１２、ＳＴ１４、ＳＴ１６は図９と同じであり、記載を省略している。さらに、ＳＴ１９では、ＳＴ３１の処理を実行中か判断し、実行中であれば（ＳＴ１９のＹＥＳ）、ＳＴ１９１では、これを継続するものとする。
ＳＴ３１では、サムネイル表示した状態で、ハイライト表示した画像について、チャプタ毎のスキップの指示を受付け、この指示があったかどうか判断する。この指示として、例えば、リモコン８０から「チャプタ毎のスキップ」の上下キーにより、チャプタを前後に移動させる指示を受けても良い。また、リモコン８０から「チャプタ毎のスキップ」ボタンの入力を受けた場合に、ＯＳＤ表示してカーソルキー８１によって選択させても良い。また、リモコン８０の番号入力によってチャプタ番号を受け付けてもよい。
【００５４】
ＳＴ３２では、ハイライト表示している動画ファイルについて、現在表示している場面のチャプタ番号を取得する。そのため、まず、図７で示したようにして、現在表示している場面のコマ番号等から画像の記憶媒体１００上のアドレスを取得する。そして、記憶媒体１００の制御情報から、チャプタの各先頭アドレスを取得し、現在のチャプタ番号を得る。
【００５５】
ＳＴ３３では、記憶媒体１００の制御情報から指示されたチャプタ番号のアドレスを取得する。ＳＴ３４では、ＳＴ３３で取得したアドレスの先頭の動画ファイルの画像を読み出して、画像圧縮部４でこの画像を圧縮し、図２〜図６の（Ｂ）と同様にメモリに記録する。図２〜図６（Ｃ）と同様に、メモリ５０から読み出すと、サムネイル表示した状態で、ハイライト表示した枠内の画像について、指定されたチャプタの先頭へスキップした画像を表示できる。
【００５６】
以上の第１の実施形態の動画再生装置１について補足する。
本発明のカーソルキー８１と、図２で示したハイライト表示は、「動画ファイル選択手段」に相当する。
図２等では、サムネイル表示で表示する画像をＳ１〜Ｓ８の８つとしたが、８つ以上でも、８つ以下でも良い。図２等では、上下２段で表示したが２段に限らず、例えば、１段や３段で表示しても良い。
ハイライト表示は、図２等に示したような太枠表示でなくても良く、点滅表示等でも良い。
図９では、図示しない所定のチューナから受信した番組等、他の画面表示と共に親子画面で表示しても良い。
図５、図６で示した刻み幅ｋについては、時間の経過と共に、またはリモコン８０の所定の高速送りボタンによりｋを大きくして早送り、巻戻しが加速するようにしても良く、また、早送りと、巻戻しとで刻み幅ｋを変えても良い。
図７では、コマ番号を対応させる方法を示したが、これに限らず、現在サムネイル上で表示している画像と、その画像に対応する記録媒体１００内のアドレスの対応関係を制御部９が把握できれば良い。後述の第２実施形態も同様である。
【００５７】
さらに、図８のＳＴ１〜ＳＴ２では、ＳＴ１でメモリ５０に対するすべての記録を終えてから、ＳＴ２で読み出すようにしているが、すべての記録を終えなくとも、すでに記録を更新した画像データまたは記録を更新する予定がない画像データについては、読み出しを開始しても良い。例えば、Ｓ１〜Ｓ８の順に記録すると、Ｓ１を記録した場合には、Ｓ２を記録すると同時にＳ１を読み出しても良い。
また、このＳＴ１９を、図９のフローの最初に行って良い。
【００５８】
図１０、図１１で、記憶媒体１００の制御情報からチャプタ番号を取得する旨説明したが、動画ファイルにチャプタの目印の信号が記録されている場合には、この目印の信号を検出した回数を数えても良い。また、
次に図１２を用いて、以上の実施形態の応用にかかる第２の実施形態の動画記録再生装置について説明する。図１２（Ａ）に示すように、この動画記録再生装置（１Ａで図示。）は、記録媒体１００に映像信号を記録、読取をする記録／読取部２０を備えている。この実施形態では、図２のサムネイル表示するときに、すでに図１２（Ｂ）に示すような代表画面記録領域１０５に圧縮画像を記録しているので、再生時に圧縮処理しなくても、デコーダ３でデコードして背景画像と合成して出力することができ、サムネイル表示するために一時記録するメモリを備える必要がないメリットがある。
【００５９】
図１２の動画記録再生装置１Ａの構成についてさらに詳しく説明する。
画像圧縮部４には、映像信号が入力される。この映像信号としては、ディジタル放送のアンテナ２１→チューナ２２→デコーダ３（デコーダ３をディジタル放送のデコード機能を含むブロックとする。）から入力したものや、アナログの映像信号をＡＤ変換器２３で変換したものや、記録媒体１００と異なる記録媒体１１０から入力した映像信号とすることができる。なお、図１２の記録／読取部２０のブロックは、記録媒体１００、記録媒体１１０の記録／読取部の機能を併せるものとして記載しているが、もちろん別構成でも良い。
【００６０】
画像圧縮部４は、デコーダ３でデコードした映像信号を圧縮する。エンコーダ２１は、この圧縮した映像信号を所定の形式にエンコードする。記録／読取部２０は、このエンコードした信号を記録媒体１００に記録する。
【００６１】
また、図１０（Ｂ）に示すように、記録媒体１００は、ヘッダ１０７、代表画面記録領域１０８、動画記録領域１０９の領域を有している。画面１０６には、映像信号を記録する。代表画面記録領域１０６には、画像圧縮部４で圧縮してエンコードした映像信号を記録する。ヘッダ１０７には、圧縮画像をサムネイル表示している状態から、図９で示した再生が直ちにできるよう、映像信号の記録時にこの圧縮画像のファイルと、圧縮前の画像が対応付けて記録する。例えば、図１０（Ｃ）に示すように、画像圧縮部４で圧縮して代表画面記録領域１０８に記録した動画のアドレスと、これに対応する動画記録領域１０９内に記録した動画のアドレスと、コマ番号とを対応したテーブルを記録している。
【００６２】
この実施形態では、代表画面記録領域１０８に予め圧縮画像を所定の領域にまとめて記録しているので、第１実施形態のようにバッファとしてのメモリ５０を設けなくても、動画記録領域１０９の中でアドレスが散在した各動画ファイルの冒頭の画像をシークして読み出す必要がないから、表示の処理が間に合わないということが生じにくい。この実施形態では、記録／読取部２０が代表画面記録領域１０８を読み取り、デコーダ３がこれをデコードして、ＯＳＤ合成部６で背景画像と合成して出力することにより、第１実施形態と同様の機能を持たせることができる。
【００６３】
なお、この第２の実施形態の構成について、以上で説明しなかった構成については、第１実施形態の図１の説明を準用する。この実施形態の動作については、第１実施形態の図２〜図１０の説明を準用する。ここで、第２実施形態では、第１実施形態のメモリＩ／Ｆ５が第２実施形態の記録／読取部２０に相当し、第１実施形態のメモリ５０が第２実施形態の記録媒体１００に相当する。
【００６４】
また、第１実施形態についても、第２実施形態で示したチューナ２２、ＡＤ変換器２３、記録媒体１００、１１０を記録し、読み取る記録／読取部２０を備えていても良い。
【図面の簡単な説明】
【００６５】
【図１】第１の実施形態の動画再生装置の主要部の構成を示すブロック図。
【図２】第１の実施形態の動画再生装置のサムネイル表示時のメモリＩ／Ｆの動作を説明する図
【図３】第１の実施形態の動画再生装置のサムネイル表示時のメモリＩ／Ｆの動作を説明する図
【図４】第１の実施形態の動画再生装置のサムネイル表示時のメモリＩ／Ｆの動作を説明する図
【図５】第１の実施形態の動画再生装置のサムネイル表示時のメモリＩ／Ｆの動作を説明する図
【図６】第１の実施形態の動画再生装置のサムネイル表示時のメモリＩ／Ｆの動作を説明する図
【図７】第１の実施形態の動画再生装置の画像圧縮部で圧縮した動画ファイルをメモリに一時記録する際に付随して記録するアドレスを表す図
【図８】第１の実施形態の動画再生装置のサムネイル表示時のメモリＩ／Ｆの動作のフロー図
【図９】図８のサブフロー図
【図１０】図９のフローのＳＴ１７、ＳＴ１８の詳細図
【図１１】図９のフローに付加的なフローを追加した実施例のフロー図
【図１２】第２の実施形態の動画記録再生装置の主要部の構成を示すブロック図
【符号の説明】
【００６６】
１−動画再生装置、  １Ａ−動画記録再生装置
２−読取部、  ２０−記録／読取部、  ２１−アンテナ、  ２２−チューナ、
２３−ＡＤ変換器、  ２５−エンコーダ
３−デコーダ、  ４−画像圧縮部、  ５−メモリＩ／Ｆ、  ５０−メモリ
６−ＯＳＤ合成部、  ７−Ｄ／Ａ変換器
８−リモコン受光部、  ８０−リモコン、  ８１−カーソルキー、  ９−制御部
１００−記録媒体、  １０１−表示器、  １０２−画面、  １０３−画面
１０４−画面、  １０５−画面、  １０６−画面
１０７−ヘッダ、  １０８−代表画面記録領域、  １０９−動画記録領域
１１０−記録媒体、  Ｓ１〜Ｓ８（所定コマの画像であり、静止画、動画を含む。）
【図１】
2008085724.tif 000003
【図２】
2008085724.tif 000004
【図３】
2008085724.tif 000005
【図４】
2008085724.tif 000006
【図５】
2008085724.tif 000007
【図６】
2008085724.tif 000008
【図７】
2008085724.tif 000009
【図８】
2008085724.tif 000010
【図９】
2008085724.tif 000011
【図１０】
2008085724.tif 000012
【図１１】
2008085724.tif 000013
【図１２】
2008085724.tif 000014